(57)【要約】  フラットパネルサウンドシステム（４００）はその後側にアコースティック裏当て材（４１０）と隔離部材（４１２）を含む。隔離部材（４１２）はフレーム（４０６）またはハウジング（４０８）とサウンドシステム（４００）が取り付けられる壁との間に配置されている。サウンドシステム（４００）は電子機器ハウジング（４１４）と、フレーム（４０６）に取り付けられる励振器（４０４）とをさらに含む。電子機器ハウジング（４１４）内の複数の電子部品がユーザインターフェースからの無線入力を受信し、複数の励振器（４０４）を作動させオーディオ出力を生成する。隔離部材（４１２）は、壁への振動伝達を抑制し、フラットパネルシステムの後側から音波が発せられるようにする。
2016516362.tif 000002
【特許請求の範囲】
【請求項１】
サウンドシステムであって、
アコースティック信号を生成するための少なくとも１つのフラットスピーカーパネルと、
前記フラットスピーカーパネルと関連付けられ、電子オーディオ信号に応答してアコースティック信号を生成すべく前記フラットスピーカーパネルを駆動するための少なくとも１つのオーディオ励振器と、
前記オーディオ励振器と動作可能に関連付けられ、ユーザインターフェース装置からの入力を受信し、その入力に応答して前記オーディオ励振器を制御するためのデータインターフェースとを備え、
前記少なくとも１つのオーディオ励振器と前記データインターフェースは、壁で観察するための共通の構造体ユニットによって支持されているサウンドシステム。
【請求項２】
前記データインターフェースは、前記ユーザインターフェース装置からの無線入力を受信するための無線インターフェースである請求項１に記載のサウンドシステム。
【請求項３】
前記データインターフェースは、イーサネットインターフェースである請求項１に記載のサウンドシステム。
【請求項４】
前記フラットスピーカーパネル、前記オーディオ励振器及び前記無線インターフェースは、略平坦な前面と約４インチ（約１０．１６ｃｍ）以下の奥行きを有するフラットスピーカーシステム内に完全に収容されている請求項１に記載のサウンドシステム。
【請求項５】
前記フラットスピーカーシステムは、電源とデジタル−アナログアンプをさらに備える請求項４に記載のサウンドシステム。
【請求項６】
前記フラットスピーカーシステムは、多目的コンピュータをさらに備える請求項４に記載のサウンドシステム。
【請求項７】
前記無線インターフェースと動作可能に関連付けられ、規定の通信プロトコルに従って前記ユーザインターフェース装置と無線通信するための制御部をさらに備える請求項２に記載のサウンドシステム。
【請求項８】
前記規定のプロトコルは、Ａｉｒｐｌａｙ（登録商標）、Ｂｌｕｅｔｏｏｔｈ（登録商標）、ｕｐｎｐ及びＤＮＬＡのうちの１つを備える請求項７に記載のサウンドシステム。
【請求項９】
前記フラットスピーカーパネルは軽量で実質的に剛体的な構造体を備える請求項１に記載のサウンドシステム。
【請求項１０】
前記フラットスピーカーパネルは、剛体的発泡コア材料または他の軽量剛体的材料、例えばマイラー、炭素繊維、ベニヤ板または、前後の紙に包まれたハニカム内部構造を備える請求項１に記載のサウンドシステム。
【請求項１１】
前記サウンドシステムは、前記フラットスピーカーパネルに取り付けられたサウンドキットを備える請求項１に記載のサウンドシステム。
【請求項１２】
前記サウンドキットは、前記励振器、アンプ及び関連回路を備える請求項１１に記載のサウンドシステム。
【請求項１３】
前記無線インターフェースは、ＲＦアンテナを備える請求項１に記載のサウンドシステム。
【請求項１４】
前記フラットスピーカーパネルの前面は、装飾的なまたは目立たない外観に適合している請求項１に記載のサウンドシステム。
【請求項１５】
前記前面は、絵画、鏡、ホワイトボード、映写幕、時計または壁パネルのうちの１つとして構成されている請求項１４に記載のサウンドシステム。
【請求項１６】
前記ユーザインターフェース装置をさらに備える請求項１に記載のサウンドシステム。
【請求項１７】
前記ユーザインターフェース装置は、ｉＰｏｄ（登録商標）、モバイル機器及びコンピュータのうちの１つを含む請求項１６に記載のサウンドシステム。
【請求項１８】
前記フラットスピーカーパネルの前面を額に入れるための額縁をさらに備える請求項１に記載のサウンドシステム。
【請求項１９】
前記サウンドシステムを壁に取り付けるための取付け構造体、及び、前記サウンドシステムと前記壁との間の振動伝達を抑制するためのダンピングシステムをさらに備える請求項１に記載のサウンドシステム。
【請求項２０】
前記ダンピングシステムはパッシブ型のダンピング材料を備える請求項１９に記載のサウンドシステム。
【請求項２１】
前記フラットスピーカーパネルと前記壁との間に十分な間隙を設けて高品質の音を提供するために、前記フラットスピーカーパネルを壁に取り付けるための取付けブラケットをさらに備える請求項１に記載のサウンドシステム。
【請求項２２】
アコースティック信号を生成するための少なくとも１つのフラットスピーカーパネルと、
前記フラットスピーカーパネルと構造的に相互接続され、励振器、アンプ及び関連回路を備えるサウンドキットと
を備えるサウンドシステム。
【請求項２３】
アコースティック信号を生成するための少なくとも１つのフラットスピーカーパネルを用意する工程と、
励振器、アンプ及び関連回路を備えるサウンドキットと、前記フラットスピーカーパネルとを共通の構造支持体に取り付ける工程と
を備えるサウンドシステムの構築に用いられる方法。
【請求項２４】
前記サウンドキットは無線インターフェースを備え、前記方法は前記ユーザインターフェース装置から無線入力を受信する工程を備える請求項２３に記載の方法。
【請求項２５】
規定の通信プロトコルに従って前記ユーザインターフェース装置と無線通信するために前記無線インターフェースで操作する工程をさらに備える請求項２４に記載の方法。
【請求項２６】
前記規定のプロトコルは、Ａｉｒｐｌａｙ（登録商標）、Ｂｌｕｅｔｏｏｔｈ（登録商標）、ｕｐｎｐ及びＤＮＬＡのうちの１つを備える請求項２５に記載の方法。
【請求項２７】
前記ユーザインターフェース装置は、ｉＰｏｄ（登録商標）、モバイル機器及びコンピュータのうちの１つを備える請求項２４に記載の方法。
【請求項２８】
前記サウンドシステムを壁に取り付ける工程と、前記サウンドシステムと前記壁との間の振動伝達を抑制するためのダンピングシステムを配置する工程とを備える請求項２３に記載の方法。
【請求項２９】
前記ダンピングシステムはパッシブ型のダンピング材料を備える請求項２８に記載の方法。
【請求項３０】
アコースティック信号を生成するための少なくとも１つのフラットスピーカーパネルと、前記フラットスピーカーパネルと関連付けられ、電子オーディオ信号に応答してアコースティック信号を生成すべく前記フラットスピーカーパネルを駆動するための少なくとも１つのオーディオ励振器と、前記オーディオ励振器と動作可能に関連付けられ、ユーザインターフェース装置からの無線入力を受信し、その無線入力に応答して前記オーディオ励振器を制御するための無線インターフェースとを用意する工程と、
前記ユーザインターフェース装置を操作して、前記無線入力を送信する工程とを備えるサウンドシステムを動作させる方法。
【発明の詳細な説明】
【技術分野】
【０００１】
本発明は概してサウンドシステムに向けられており、特に装飾的なまたは目立たないフラットパネルサウンドシステムに向けられている。
【背景技術】
【０００２】
サウンドシステムは、テレビのサウンドシステム、ラジオまたはステレオのサウンドシステム、ミュージックシステム、電話のサウンドシステム等を含む様々な状況で使用される。これらの状況では、サウンドシステムは、通常、オーディオ信号を受信または発生するための音源、そのオーディオ信号を増幅するためのアンプ、増幅したオーディオ信号を１つ以上のアコースティック信号にする１つ以上のスピーカー、及び、電子信号の多重化、逆多重化、デジタルアナログ変換、及び他の調整を行うための関連電子部品を含む。このようなサウンドシステムは、一般的に個人の使用を目的とした音をユーザの片耳または両耳付近で発生するヘッドフォンやイヤホン等のパーソナルサウンドシステムと、リスニングエリア内にいる１人以上のユーザのために音を発生するラウドスピーカーシステムとを包括するものとして理解され得る。
【発明の概要】
【発明が解決しようとする課題】
【０００３】
従来、スピーカーシステムは、キャビネットまたは同様の構造体に収納されることが多い、物理的観点からかなり丈夫なシステムである。高品質サウンドシステムは、単一のユニット内に複数の特定の周波数範囲の音を出すための複数のスピーカー部品、例えばサブバス、バス、ミッドレンジ及び高周波数のスピーカー部品をしばしば含む。サウンドシステムは、高品質の音を発生することができる一方で、サウンドシステムの面積と奥行きの両方の観点からかなりの場所を占拠する。さらに、スピーカーシステムのサウンド生成機能は、一般的に、複数のスピーカーが開放されて（閉じられずに）、リビングルームやオフィス等の手間をかけて設計されたまたは飾られた部屋であり得る、対象とするリスニングエリアに分散される必要がある。多くの場合、ユーザは、このようなサウンドシステムの音質を望むが、嵩張るスピーカーシステムの美観に悩まされる。キャビネットタイプのスピーカーの必要性を無くすフラットパネルスピーカーが開発された。しかし、フラットパネルスピーカーは、完全に機能的なサウンドシステムとしてではなく、スピーカーとして着想されたものであり、電源コード及び／またはサウンド信号を送信するために複数の接続を要することがあり、そのために、スピーカーの美観と機能性を損なうかまたは複雑で高価な設置を要する。目立たないかまたは装飾的であり、高機能で使いやすいサウンドシステムの需要がある。
【課題を解決するための手段】
【０００４】
本発明は、サウンド信号伝送のための外部ケーブルまたは配線または受信機／アンプユニットに対する他のインターフェースを要しないフラットパネルを備えたサウンドシステムに向けられている。このようなシステムは電源ケーブルの必要性をなくすために内部電源をさらに含んでもよい。こうすることで、スピーカーまたは複数のスピーカーは、所望の効果を駄目にするか損なわせる視認可能な外部部品のない、装飾的（つまり、絵画、鏡またはその他の装飾品／機能的製品として具体化できる）または目立たない.（例えば、壁パネル内に組み付けられるかまたはその他で隠されるかまたはカモフラージュされる）ものとなり得る。さらに、サウンドシステムは、有線または無線インターフェースを介して、例えばｉＰｏｄ（登録商標）システム、モバイル機器、受信機／アンプまたはメディアサーバーを使用するようにインストールされることができ、所望の美観をなすために便利で豊富なユーザインターフェースが無駄にならない。
【０００５】
本発明の一側面によれば、フラットパネルサウンドシステムが提供される。このシステムはアコースティック信号を生成するための少なくとも１つのフラットスピーカーパネル、電子オーディオ信号に応答してそのフラットスピーカーパネルを駆動するための少なくとも１つのオーディオ励振器、及びユーザインターフェース装置からの入力を受信し、その入力に応答してオーディオ励振器を制御するためのデータインターフェースを含む。前記少なくとも１つのオーディオ励振器と前記データインターフェースは壁に取り付けるための共通の構造体によって支持されている。例えば、このデータインターフェースとオーディオ励振器はフレームに取り付けられてもよく、そのフレームに対してフロート状態でフラットスピーカーパネルがオーディオ励振器に取り付けられ得る。
【０００６】
１つの実施形態では、データインターフェースはユーザインターフェース装置から無線入力を受信するための無線インターフェースである。例えば、このユーザインターフェース装置は、ｉＰｏｄ（登録商標）、モバイル機器またはコンピュータであり得る。データインターフェースは、規定のプロトコル、例えばＡｉｒｐｌａｙ（登録商標）、Ｂｌｕｅｔｏｏｔｈ（登録商標），ｕｐｎｐ及びＤＮＬＡに従ってユーザインターフェース装置から通信を受信してもよい。代わりに、データインターフェースは、イーサネットインターフェース、ＵＳＢポートまたはアナログ信号ポートでもよい。
【０００７】
サウンドシステムは、サウンドシステムを壁に取り付けるための取り付け構造体と、サウンドシステムと壁との間の振動伝達を抑制するためのダンピングシステムとをさらに備えてもよい。このダンピングシステムは、アクティブ型のダンピングシステムまたはパッシブ型のダンピング材料でもよい。１つの実施形態では、パッシブ型のダンピング材料はサウンドシステムのフレームと壁との間に配置される。上述した振動伝達抑制機能に加えて、ダンピングシステムによってサウンドシステムのフレームと壁との間に空隙が設けられており、音波がフラットパネルの後から部屋内に発せられる。
【０００８】
本発明の他の側面によれば、フラットパネルサウンドシステムの構築方法が提供される。この方法は、少なくとも１つのフラットスピーカーパネルを用意する工程と、サウンドキットとフラットスピーカーパネルを共通の構造支持体に取り付ける工程とを含む。ここで、このサウンドキットは、少なくとも１つの励振器、アンプ及び関連回路を含む。サウンドシステムは別体のユーザインターフェース装置からのユーザ入力を受信するための無線接続をさらに含んでもよい。こうすることで、豊富なユーザインターフェースが、サウンドシステムの美観を損なうことなく設けられる。
【０００９】
本発明とさらにその利点の完全な理解のために、添付図面と併せて以下の詳細な説明が参照される。
【図面の簡単な説明】
【００１０】
【図１】本発明に従うフラットパネルサウンドシステムの前面斜視図。
【図２】図１のフラットパネルサウンドシステムの側面図。
【図３】本発明に従うフラットパネルサウンドシステムの模式図。
【図４】本発明に従うフラットパネルサウンドシステムの代替実施形態の部分的後方斜視図。
【図５】内部部品が見えるように裏当て材を取り除いた状態の図４のフラットパネルサウンドシステムを示す後立面図。
【図６】図４のフラットパネルサウンドシステムの電子部品を示す模式図。
【発明を実施するための形態】
【００１１】
本発明は、フラットパネルサウンドシステムに向けられている。このサウンドシステムは、ラジオ、テレビ、ミュージック、電話等のオーディオ出力部を有する機器に音を供給するような様々な状況で使用される。加えて、このフラットパネルシステムは、例えば絵画、映写幕、時計、鏡、ホワイトボード、壁パネルなどの様々な装飾的なまたは目立たない形態に具体化され得る。以下の記述は、本発明をＡｐｐｌｅｉＰｈｏｎｅ（登録商標）またはデータ使用可能モバイル機器等のモバイル機器に、またはサーバー、カスタムアプリケーション等を含む任意の通信プロトコルに関連付けられた、壁掛けサウンドシステムについての例示の状況について説明する。本発明がこのような実施形態または状況に制限されないことは明確に理解されるべきである。例えば、サウンドシステムを完全な無線ユニットとして実施する代わりに、イーサネット用の及び／または電源用の有線接続が利用されてもよい。
【００１２】
図１は本発明に従うサウンドシステム１００を示している。この図示したシステム１００は壁１０２に取り付けられるように適合したフラットパネルシステムである。サウンドシステム１００は装飾的または目立たないように設計されている。例えば、システム１００は、事情を知らない人にはサウンドシステムであるようには全く見えず、代わりに絵画、鏡、ホワイトボード等のように見え得る。この点に関して、図示したシステム１００の前面１０４は、そこに印刷された絵画を有してもよいし、その他、ホワイトボード、映写幕、また鏡として機能できるように処理されてもよい。以下の説明で理解される通り、前面１０４は、フラット剛体的発泡板、繊維板、またはスピーカーパネルとして機能する他の軽量剛体的材料から形成されてもよい。
【００１３】
図示した実施形態では、フラットスピーカーパネルはフレーム１０６内に収納されている。このフレーム１０６は剛体的発泡板に取り付けられてもよいし、またはこの発泡板は音波を発生するときにフレーム１０６とは独立して動くことを許容されてもよい。例えば、従来のスピーカーケースの取付と同様に、発泡板はフレームに対してフロート状態で取り付けられてもよい。以下により詳細に説明される通り、図示したサウンドシステム１００は、壁とサウンドシステムとの間の振動伝達を抑制するために壁１０２からシステム１００を隔離する役割を果たす緩衝具１０８も含む。緩衝具１０８はスピーカーパネルの後側から周囲環境への音波の伝達を容易にする。
【００１４】
図示したサウンドシステム１００は様々な寸法で設けられてもよい。例えば、システム１００の前面は、壁に掛けられる絵画の典型的なサイズでもよい。例えば、システム１００は約２〜６フィート（約６０．９６〜１８２．８８ｃｍ）の幅で、約１〜４フィート（約３０．４８〜１２１．９２ｃｍ）の高さであってもよい。しかし、他のサイズでも他のアスペクト比でも可能である。図示したシステム１００は約６インチ（約１５．２４ｃｍ）以下の、より好ましくは約４インチ（約１０．１６ｃｍ）以下の薄い奥行きｄを有する。例えば、図示したシステム１００は約２．５〜３インチ（約６．３５〜７．６２ｃｍ）間の奥行きｄを有してもよい。
【００１５】
図２は、壁２０２に取り付けられた、本発明に従うフラットパネルサウンドシステム２００の側面図を示す。図示したシステム２００は、フレーム２０６内に取り付けられた剛体的発泡板フラットパネル２０４を含む。システム２００はパネル２０４に取り付けられた、またはパネル２０４と同じ構造体に取り付けられたサウンドキット２１４をさらに含んでもよい。以下により詳細に説明される通り、このサウンドキットは、アンプ、コンピュータ、ＲＦアンテナ、バッテリー等の任意の電源、及び統合回路(integration circuitry)を含んでもよい。バッテリーの代わりにまたは加えて、システム２００はシステム２００に対する電源接続部（例えば、交流１２０Ｖを直流１２Ｖまたは直流１９Ｖに変換する電源）を利用してもよい。このキットの一部として設けられるものは、発泡板２０４の後方に延在している配線を介して当該部品２１４と接続され得るオーディオ励振器２１６である。システム２００は、複数の付加部品または外部部品、例えばバッテリー充電ケーブル、ＵＳＢフラッシュドライブまたは他の部品を接続するためのインターフェーススロットをさらに含んでもよい。
【００１６】
図示したシステム２００は取付けブラケット２１０を使用して壁２０２に取り付けられている。この取付けブラケットはフレーム２０６や横梁部材（cross member）等に接続されてもよく、高品質の音を発生するために壁から十分な間隔を設けるものであることが好ましい。この点に関して、ブラケットは壁からサウンドシステムを遠ざけるために手動または自動で移動可能であってもよい。壁２０２にシステム２００を取り付けるこの方法は、アコースティック信号を発生するように、必要に応じて発泡板パネル２０４を浮かせることができる。図示したシステムは、壁２０２とシステム２００との間の振動伝達を抑制するためのダンピング要素２０８をさらに含む。この器具２０８は、アクティブ型またはパッシブ型であってもよい。例えば、器具２０８は発泡体のような弾性材料を備えてもよいし、バネ式の衝撃吸収材を含んでもよいし、または電子駆動振動相殺ユニットを組み込んでもよい。
【００１７】
図３は、本発明の代替実施形態に従うサウンドシステム３００の部分的な模式図である。この図示したシステム３００は、ユーザインターフェース装置３０４によって無線操作されるフラットパネルスピーカーシステム３０２を含む。このユーザインターフェース装置３０４は、ユーザインターフェース要素、プロセッサと関連回路、及びＲＦアンテナ、赤外線送信機等の無線送信機を含む。ユーザインターフェース要素は、例えばタッチスクリーン、キーボード、スタイラス及び／またはグラフィカルユーザーインターフェースを含んでもよい。ユーザインターフェース装置３０４は、（例えば、アップル（登録商標）、ドロイド（登録商標）、ウィンドウズ（登録商標）等のオペレーションシステムを実行している）ラップトップ、タブレットコンピュータ、デスクトップコンピュータまたは他のデータ端末、モバイルユニット、（特にＷＩＦＩやＡｉｒｐｌａｙ（登録商標）をサポートしている）ｉＰｏｄ（登録商標）等のモバイルミュージックプラットフォーム、テレビ、ステレオまたは他の機器に具体化される。図示した実施形態では、ユーザインターフェース３０４はデータ使用可能モバイルユニットである。
【００１８】
スピーカーシステム３０２はユーザ入力機器３０４からの信号を受信するための、アンテナ３０８、センサまたは他のユニットと、スピーカーシステム３０２の動作を制御するためのプロセッサ３１０を含む。加えて、スピーカー機器３０２は多数（１つ以上）のアンプ３１２、３１４と、１つ以上のフラットスピーカーパネルを駆動するための多数の励振器３１６、３１８とを含む。複数のアンプと励振器は、音量を増加させるために及びステレオサウンドのような様々な効果を得るために使用されてもよい。スピーカーシステム３０２は、例えばリムーバブルフラッシュドライブまたは一体化されたソリッドステートストレージデバイスに格納される格納コンテンツ３２２をさらに含んでもよい。例えば、ミュージックコンテンツは以下に詳しく説明される通り、スピーカーシステム３０２に格納されてもよいし、ユーザインターフェース装置３０４に格納されてもよいし、または外部ソースからストリーミングされてもよい。このシステムは、充電式バッテリーや、電源出力部に接続するための電力線等の電源３３２を含んでもよい。
【００１９】
図示したスピーカーシステム３０２は、無線ネットワーク、無線ルーター、ホットスポット等との接続部等のネットワークインターフェース３２４をさらに含む。代わりに、有線接続のイーサネット接続等がネットワークインターフェースとして備えられてもよい。このようなネットワークインターフェースは、例えばウェブベースのラジオのストリーミングコンテンツにアクセスするために、または様々なオンラインソースからのコンテンツをダウンロードするために利用されてもよい。図示した実施形態では、ネットワークインターフェース３２４は、コンテンツプロバイダー３２８、３３０からのコンテンツにクラウド・アーキテクチャー３２６を介してアクセスするために使用され得る。このようなコンテンツは、リアルタイムでストリーミングされてもよいし、コンテンツストレージ３２２に格納されてもよい。
【００２０】
代わりに、ユーザインターフェース装置３０４は、コンテンツプロバイダー３２８、３３０からのコンテンツに直接アクセスするかまたは任意のデータネットワーク、ラジオネットワークまたは他のブロードキャストソースにアクセスして、スピーカーシステム３０２にそのコンテンツを送信するために利用されてもよい。後者の場合、スピーカー機器３０２が（ユーザインターフェース装置３０４を介することを除き）ネットワークインターフェースを含むことまたはローカルに格納されたコンテンツ３２２を含むことが必要でないことが理解されるであろう。
【００２１】
図４〜６は、本発明に従うサウンドシステム４００のさらなる実施形態を示している。特に、図４はサウンドシステム４００の部分的後方斜視図を示す。図５は内部構造を明らかにするためにアコースティック裏当て材を取り除いた状態の後面図である。図６はサウンドシステム４００の電子機器の模式図である。
【００２２】
サウンドシステム４００は、大体は前述したようなフラットパネルサウンドシステムであるが、部品構成に関するいくつかの違いと特徴の変更がある。より具体的には、サウンドシステム４００は、一般的に音を出すためのフラットパネル４０２を含む。フラットパネル４０２はフレーム４０６に取り付けられている励振器４０４によって駆動される。このフレーム４０６はハウジング４０８によって支持されている。上述したように、サウンドシステム４００は壁に掛けられるかもしくは取り付けられ、このパネル４０２の前面は、サウンドシステム４００が目立たないようにまたは魅力的な外観になるようにイラスト等のグラフィックまたは表面処理を有してもよい。
【００２３】
図４に示すように、図示したサウンドシステム４００はアコースティック裏当て材４１０と複数の隔離部材(stand-off)４１２をその後側に含む。裏当て材４１０は、最小の減退または歪みで音波が当該裏当て材を通過できる材料から形成されている。パネル４０２の前面と同様に裏面からの音の伝達が音質を著しく向上させることが分かっている。例えば、裏当て材は、音を透過できる織物またはメッシュを形成する任意の様々な天然素材または人工素材、繊維素材またはメッシュ素材から形成されてもよい。例えば、裏当て材４１０は、目の粗いナイロンの織物シートまたは従来のサウンドスピーカーの布シートから形成されている。このような裏当て材４１０は、パネル４２０から後方への音の伝達と、内部構造及び電子部品の被覆／保護との二つの機能を果たす。
【００２４】
図示したシステム４００は、フレーム４０６（図５）及び／またはハウジング４０８と、システム４００が取り付けられている壁との間に配置された隔離部材４１２をさらに含む。前述したように、パネル４０２の裏面から音を伝えることが好ましい。隔離部材４１２は音を伝えることをほとんど抑制しないようにハウジング４０８と壁との間に間隔を設けることによって、これらの音波を部屋へまたはその他の周囲環境へ伝えることを容易にする。隔離部材４１２はシステム４００から壁への振動伝達をさらに抑制する。前述したように、隔離部材４１２は、アクティブ型の振動相殺装置、（例えばバネ式システム、空気圧式シリンダー等の）移動式機械装置及び／またはパッシブ型の緩衝材料を含み得る。図示した実施形態では、隔離部材は（前部から後部にかけて）例えば約０．２５〜１．０インチ（約０．６４〜２．５４ｃｍ）間の薄い織物製のパッドから形成されている。隔離部材は、ハウジング４０８の角付近に配置されており、例えばハウジング４０８上に支持されてもよいし、フレーム４０６の角筋交い４０６ａ上に（つまり、裏当て材４１０が隔離部材と角筋交いとの間に挟まれている状態で）支持されてもよい。
【００２５】
ハウジング４０８は、フレーム４０６、電子部品及び他の内部部品を収納するのに十分な（前から後）奥行きを有する。この点に関して、フレームは約１．０〜８．０インチ（約２．５４〜２０．３２ｃｍ）間の奥行きを有してもよいし、例えば２．０〜６．０インチ（約５．０８〜１５．２４ｃｍ）間の奥行きを有してもよい。フレーム４０６は、任意の適切な材料、例えば木、発泡板、金属、プラスチックまたは合成材料から形成されてもよい。
【００２６】
図５は内部部品を見ることができるように裏当て材を取り除いた状態のシステム４００を示す。内部部品は、フレーム４０６、電子機器ハウジング４１４、複数の励振器４０４と、ハウジング４１４内に配置されている複数の電子機器に複数の励振器４０４を接続するための配線４１６を含む。
【００２７】
図示したフレーム４０６は、（ハウジング４０８と別体または一体であってもよい）複数の周辺部分４０６ｂ、複数の横梁部材４０６ｃ、複数の電子機器支持部材４０６ｄ及び複数のカバー筋交い４０６ａを含む。複数の励振器４０４は複数の横梁部材４０６ｃに取り付けられ、最適な音が出せるように配置されている。図示した実施形態では、少なくとも４つの励振器４０４があり、それらは以下のように配置されている（図５を前面から見たときパネルの左下隅を原点としてパネル４０２の幅がｘ、高さがｙとしている）。
【００２８】
励振器１：      ４／９Ｘ、３／７Ｙ
励振器２：      ４／７Ｘ、５／９Ｙ
励振器３：      ３／７Ｘ、４／７Ｙ
励振器４：      ５／９Ｘ、４／９Ｙ
複数の励振器の支持構造体が音質を向上させ、それには低音性能の改善が含まれる。
【００２９】
図示した電気的支持部材４０６ｄは、ハウジング４０８に対して底部中央位置にある電子機器ハウジング４１４を支持するように構成されている。ここは、システムの外観影響を最小限にし、壁に傾いているシステム４００を引っ張る傾向がほとんどない状態で、任意のイーサネットケーブル、充電器のコード、フラッシュドライブ、電力線などを（例えばシステム４００の底縁に設けられているポートを介して）電子機器ハウジング４１４の付近に差し込むことができるので、電子機器ハウジングとって特に好ましい位置である。角筋交い４０６ａは、フレーム４０６に剛性を付与し、隔離部材４１２にとっての支持面を提供する。フレーム４０６は（複数の）任意の適切な材料、例えば木、発泡板、プラスチック、金属及び／または合成材料から形成されてもよく、またフレーム４０６の様々な構成は同一の材料から、または異なる材料から形成されてもよい。パネル４０２は様々な軽量剛体的材料、例えば発泡板または炭素繊維板から形成され得る。
【００３０】
前述したように、額縁に関して様々な選択肢が入手可能である。例えば、システム４００は、（パネル４０２に支持されている、またはパネル４０２が額縁に対してフロート状態でフレーム４０６またはハンギング４０８に支持されている）額縁内にあってもよいしまたはフレームを省略してもよい（例えば、パネル４０２の縁がフレーム４０６と面一になっている）。
【００３１】
図６は、サウンド４００の電子部品６００を示す。さまざまな構成が可能であるが、仮想線で示されている四角い枠内の部品は、図示した実施形態のハウジング４０８内に収納されている。サウンドシステム４００は、無線ネットワーク、他のデータネットワーク、フラッシュドライブ、モバイル機器、テレビ等を含む様々なソースの入力を受信してもよい。この点に関して、サウンドシステム４００は（例えばイーサネットケーブルを挿入するための）イーサネットポート６０６、ＷＩＦＩポート６０８、複数のＲＣＡ入力部６１２及び（例えば電源コードまたは充電器のコードを挿入するための）電源ポート６１６を含む。ＵＳＢポートのような他のポート及び／または他のタイプのオーディオジャックが設けられてもよいことが理解されるだろう。電子部品６００は、パネル６０２や外部部品を作動させるための複数の出力部も含む。図示した例では、これら出力部は励振器６１０とサブウーファー６１４を含む。例えば、１つ以上の別体サブウーファーユニットは、有線接続または無線接続を介して電子部品６００によって作動してもよい。
【００３２】
電子部品６００は、アンプ６０２とＣＰＵユニット６０４をさらに含む。このＣＰＵユニット６０４は、一般的に入力信号を受信したり、デコードしたり、復調したり、必要に応じて処理するために、また様々な内部部品、外部部品を作動させたり、サウンドシステム４００の動作を管理するために必要な全てのロジックを実行する。前述した機能は、複数のユニットに分散してもよいし、サウンドシステム４００と複数の外部システムとに常駐するロジック間で共有されてもよい。
【００３３】
このアンプ６０２は、励振器６１０とサブウーファー出力モジュール６２２を作動させるためのＣＰＵユニット６０４からの信号を増幅したり調節する。アンプ６０２は、アナログ入力を受信してもよいし、またはＣＰＵユニットからのデジタル信号を受信してもよい。デジタル信号を受信する場合、デジタル信号はデジタル−アナログ変換回路６２０によってアナログ信号に変換され得る。スイッチ６１８はアンプ６０２がＲＣＡ入力部６１２からの信号を受信できるように、またはデジタル−アナログ変換回路６２０を介してＣＰＵユニット６０４からの信号を受信できるようになっている。
【００３４】
図示した電子部品６００は、サブウーファー出力モジュール６２２と電源ＲＦＩフィルタ６２４をさらに含む。このＲＦＩフィルタ６２４は性能向上のために、信号中の電源からの無線周波数干渉を取り除く。サブウーファー出力部モジュール６２２は、ワイヤレス出力部、ファイバ出力部または他のケーブル出力部を介してサブウーファーを駆動する。
【００３５】
本発明の前述した説明は、解説と説明のために提示されている。さらにこの説明は、ここで開示されている形態に本発明を限定することを意図していない。したがって、上記の教示に見合った種類、修正、関連する発明の技能及び知識は、本発明の範囲内にある。上記の複数の実施形態は、本発明を実施する最良の形態を説明することと、当業者が本実施形態のまたは他の実施形態の発明や本発明の（複数の）特定の用途や使用によって必要とされる様々な修正を備えた発明を利用できることをさらに意図している。添付した特許請求の範囲は先行文献によって許される程度の代替実施形態を含むように構成されていることを意図している。
【図１】
2016516362.tif 000003
【図２】
2016516362.tif 000004
【図４】
2016516362.tif 000005
【図５】
2016516362.tif 000006
【図３】
2016516362.tif 000007
【図６】
2016516362.tif 000008
【国際調査報告】
2016516362.tif 000009
2016516362.tif 000010
2016516362.tif 000011